(57)【特許請求の範囲】
【請求項１】
複数台のパチンコ遊技機をその裏面が互いに相対するように設置し、ほぼ中央部に玉研磨装置で研磨したパチンコ玉を上部の補給タンクに揚送し、該補給タンクからそれぞれのパチンコ遊技機にパチンコ玉を補給するパチンコ玉研磨揚送装置を含む補給装置を設けたパチンコ遊技機設置島において、
補給装置を構成する玉研磨装置と揚送装置との間に、玉研磨工程で発生した研磨屑を含む異物を除去するための異物除去装置を介在させたことを特徴とするパチンコ遊技機設置島におけるパチンコ玉揚送機構。
【請求項２】
パチンコ玉研磨揚送装置が、パイプを通じてパチンコ玉を揚送するものである請求項１に記載のパチンコ遊技機設置島におけるパチンコ玉揚送機構。
【発明の詳細な説明】
【０００１】
【発明の属する技術分野】
本発明は、パチンコ遊技機設置島におけるパチンコ玉揚送機構に関するものである。
【０００２】
【従来の技術】
パチンコホールのパチンコ遊技機設置島には、図６および図７に示すように複数台のパチンコ遊技機１がその裏面が互いに相対するように設置されており、そのほぼ中央部には、パチンコ玉を研磨しながら上部の補給タンク２に揚送し、この補給タンク２から補給玉樋４を介してそれぞれのパチンコ遊技機１にパチンコ玉を補給するためのパチンコ玉研磨揚送装置３を含む補給装置５が設けられている。
【０００３】
図８は従来の代表的なパチンコ玉研磨揚送装置３の外観図であり、塔体６の内部を垂直方向に移動するベルトと塔体６内の垂直面に設けられた研磨布との間にパチンコ玉を挟み、ベルトの走行によりパチンコ玉を研磨布に押し当てて転がしながら揚送するようになっている。ところがこのような従来のパチンコ玉研磨揚送装置３は、塔体６の内部にベルトを設けたものであるために数十ｃｍの幅があり、図６および図７に示すようにパチンコ遊技機設置島のほぼ中央部にパチンコ玉研磨揚送装置３の設置スペースを必要としていた。
【０００４】
またこの従来のパチンコ玉研磨揚送装置３では、研磨と揚送とが同時に行なわれるため、研磨の際に発生した研磨屑を含む異物がそのまま上部の補給タンク２に揚送されてしまうという問題があった。
【０００５】
【発明が解決しようとする課題】
本発明は上記した従来の問題点を解決して、研磨屑を含む異物が上部の補給タンクに揚送されることがなく、またパチンコ遊技機設置島内にパチンコ玉研磨揚送装置のための設置スペースを必要としないパチンコ遊技機設置島におけるパチンコ玉揚送機構を提供するためになされたものである。
【０００６】
【課題を解決するための手段】
上記の課題を解決するためになされた本発明は、複数台のパチンコ遊技機をその裏面が互いに相対するように設置し、ほぼ中央部に玉研磨装置で研磨したパチンコ玉を上部の補給タンクに揚送し、該補給タンクからそれぞれのパチンコ遊技機にパチンコ玉を補給するパチンコ玉研磨揚送装置を含む補給装置を設けたパチンコ遊技機設置島において、
補給装置を構成する玉研磨装置と揚送装置との間に、玉研磨工程で発生した研磨屑を含む異物を除去するための異物除去装置を介在させたことを特徴とするものである。なお、パチンコ玉研磨揚送装置がパイプを通じてパチンコ玉を揚送するものであることが好ましい。
【０００７】
本発明によれば、玉研磨装置と揚送装置との間に異物除去装置を介在させたので、玉研磨装置において発生した研磨屑を含む異物を除去することができ、揚送されるパチンコ玉中への異物の混入を完全に防止することができる。また請求項２のようにパイプを通じてパチンコ玉を上方の補給タンクまで揚送するようにすれば、従来のようにパチンコ遊技機設置島内にパチンコ玉研磨揚送装置のための設置スペースを設ける必要がなく、従来よりもパチンコ遊技機の設置台数を増加することができ、またパチンコ玉研磨揚送装置を隠すためのデザインを施す必要もない。
【０００８】
【発明の実施の形態】
以下に図面を参照しつつ、本発明の好ましい実施形態を示す。
図１は本発明の要部の正面図、図２はパチンコ遊技機設置島の断面図、図３は揚送装置の断面図、図４は図２のＡ−Ａ断面図、図５はパチンコ遊技機設置島の外観図である。
【０００９】
これらの図中、１０はパチンコ遊技機設置島の全長に延びる台板であり、この台板１０上に、複数台のパチンコ遊技機１がその裏面が互いに相対するように設置されている。図４に示されるように、本発明ではパチンコ遊技機設置島の全体にわたりパチンコ遊技機１は一定間隔で配置されている。
【００１０】
このパチンコ遊技機設置島のほぼ中央部には、図１に示す補給装置１１が設けられている。この補給装置１１は、パチンコ玉を研磨しながら上部の補給タンク２に揚送し、この補給タンク２から補給玉樋４を介してそれぞれのパチンコ遊技機１にパチンコ玉を補給するためのパチンコ玉研磨揚送装置１２を含むものである。
【００１１】
図１及び図２に示すように、上記のパチンコ玉研磨揚送装置１２を構成する玉研磨装置１３および揚送装置１４は、台板１０よりも下方位置のいわゆる腰下部分に集約的に設けられている。この実施形態の玉研磨装置１３は、回収玉をベルト２０により研磨面（図示せず）に押しつけながら回転させて研磨する構造のものであり、研磨されたパチンコ玉は玉研磨装置１３と揚送装置１４との間に介在させた異物除去装置１５を通過させ、玉研磨工程で発生した研磨屑を含む異物を除去したうえ、揚送装置１４に送られる。この実施形態における異物除去装置１５は、図１に示すとおりジグザグ状の通路を有するものである。
【００１２】
揚送装置１４は図３に示すように外周面にパチンコ玉が入る多数の凹部１６を備えた回転盤１７をモータで駆動し、本体側の円弧状の内壁面１８との間でパチンコ玉を挟みながら、押し上げる機能を持つ。本発明ではこの揚送装置１４の上部にパイプ１９が接続されており、パチンコ玉はこのパイプ１９の内部を１列になって揚送される。このパイプ１９はフレキシブルパイプであってもステンレスパイプのようなインフレキシブルパイプであってもよく、蛇腹状のフレキシブルパイプを用いてもよい。
【００１３】
補給タンク２は台板１０上に設置されるパチンコ遊技機１に支障のない高さに設けられており、台板１０よりも下方に設けられた揚送装置１４とこの補給タンク２との間は、パイプ１９により連結されている。この実施形態においては、揚送能力を高めるために５本のパイプ１９が並列に配置されているが、各パイプ１９の外径は１５ｍｍ以下の細いものであり、図２や図４に示すようにパチンコ遊技機１の裏面間の狭い間隙を通すことができる。
【００１４】
このように、本発明では台板１０よりも下方に設けられた揚送装置１４から上部の補給タンク２までパイプ１９を介してパチンコ玉を揚送するようにしたので、パチンコ遊技機１の間に従来のようなパチンコ玉研磨揚送装置の設置スペースを設ける必要がなく、図５のようにパチンコ遊技機設置島の全体にわたりパチンコ遊技機１を一定間隔で配置することができる。なおこの効果を得るためには、図１や図２に示すようにパイプが、少なくともパチンコ遊技機の全高にわたってジョイント部を持たずに上下方向に延びていることが望ましい。
【００１５】
【発明の効果】
以上に説明したように、請求項１の発明のパチンコ遊技機設置島におけるパチンコ玉揚送機構においては、玉研磨装置と揚送装置との間に異物除去装置を介在させたので、玉研磨装置において発生した研磨屑を含む異物を除去することができ、揚送されるパチンコ玉中への異物の混入を完全に防止することができる。また請求項２の発明によれば、従来のようにパチンコ遊技機設置島内にパチンコ玉研磨揚送装置のための設置スペースを設ける必要がなく、従来よりもパチンコ遊技機の設置台数を増加することができる利点がある。
【図面の簡単な説明】
【図１】本発明の要部の正面図である。
【図２】パチンコ遊技機設置島の断面図である。
【図３】揚送装置の断面図である。
【図４】図４は図２のＡ−Ａ断面図である。
【図５】パチンコ遊技機設置島の外観図である。
【図６】従来のパチンコ遊技機設置島の外観図である。
【図７】従来のパチンコ遊技機設置島の内面図である。
【図８】従来の代表的なパチンコ玉研磨揚送装置の外観図である。
【符号の説明】
１  パチンコ遊技機
２  補給タンク
３  従来のパチンコ玉研磨揚送装置
４  補給玉樋
５  補給装置
６  塔体
１０  台板
１１  本発明の補給装置
１２  パチンコ玉研磨揚送装置
１３  玉研磨装置
１４  揚送装置
１５  異物除去装置
１６  凹部
１７  回転盤
１８  円弧状の内壁面
１９  パイプ
２０  ベルト
【図１】
0003836033.tif 000002
【図２】
0003836033.tif 000003
【図３】
0003836033.tif 000004
【図４】
0003836033.tif 000005
【図５】
0003836033.tif 000006
【図６】
0003836033.tif 000007
【図７】
0003836033.tif 000008
【図８】
0003836033.tif 000009